(57)【要約】【課題】表示画面及びタッチパネルの大きさによらず、同じドットが押下されていると認識しやすくすることで、タッチパネルへの入力における応答性を高める。【解決手段】表示入力装置は、１又は複数のキー２３を表示させる表示画面２２と、表示画面２２に重ね合わされるタッチパネル２４と、タッチパネル２４への押下位置から座標データを出力する座標検出部１０と、座標検出部１０が検出した座標に基づき、表示画面２２内で押下されたドットを特定して押下されたキー２３を識別する識別部と、押下されたと認識されたキー２３に応じて表示画面２２の表示を切り替える表示制御部９と、を備え、識別部は、キー表示領域Ｋ内に存在するドットについて、１ドットに割り当てる座標の範囲を広げる補正を行い、表示画面２２のうちで押下されたドットを特定する。【選択図】図７
2009289021.tif 000002
【特許請求の範囲】
【請求項１】
操作・入力のための１又は複数のキーを表示させる表示画面と、
前記表示画面に重ね合わされるタッチパネルと、
前記タッチパネルへの押下位置から座標データを出力する座標検出部と、
前記座標検出部が検出した座標に基づき、前記表示画面内のドットのうちで押下されたドットを特定し、いずれの前記キーが押下されたかを識別する識別部と、
前記識別部により押下されたと認識された前記キーに応じて前記表示画面の表示を切り替える表示制御部と、を備え、
前記識別部は、前記キーの表示領域内に存在するドットについて、１ドットに割り当てる座標の範囲を広げる補正を行い、前記表示画面のうちで押下されたドットを特定することを特徴とする表示入力装置。
【請求項２】
前記識別部は、１ドットに割り当てられる座標の範囲を広げる補正を行う場合、１画面あたりの画素の配列数が同じで取り付けられる可能性のある前記表示画面のうち、最大サイズの前記表示画面における１ドットの大きさと同じ大きさとなるように補正を行うことを特徴とする請求項１記載の表示入力装置。
【請求項３】
前記識別部は、前記キーの表示領域内に存在するドットについて、通常時における複数のドットに割り当てられた座標を１つにまとめ、複数のドットを１ドットとして扱う補正を行い、前記表示画面のうちで押下されたドットを特定することを特徴とする請求項１又は２に記載の表示入力装置。
【請求項４】
請求項１乃至３のいずれか１項に記載の表示入力装置を備えた画像形成装置。
【発明の詳細な説明】
【技術分野】
【０００１】
本発明は、タッチパネルを備え表示画面に表示されるキーを押下して入力を行う表示入力装置に関する。又、この表示入力装置を入力装置として備えた画像形成装置に関する。
【背景技術】
【０００２】
近年、キーボード、マウス等の入力装置を設置せずにすむように、各種キーが表示される液晶等の表示画面上に透明なタッチパネルを設け、タッチパネルで表示画面内で触れられた位置を特定し、機器に対する操作入力を実現する表示入力装置が多用されている。例えば、タッチパネル式の表示入力装置は、複合機、複写機、ファクシミリ装置、プリンタ等の画像形成装置の操作パネルや、銀行のＡＴＭ、鉄道切符の券売機、携帯情報端末（ＰＤＡ）、カーナビゲーション、携帯電話等、様々な電気、電子機器に用いられている。
【０００３】
このようなタッチパネル式の入力装置を有する画像形成装置が特許文献１に記載されている。具体的に、特許文献１には、表示入力装置に表示されるキーの選択を検知するキー選択検知手段と、キー選択を音で知らせる音出力手段と、音出力開始時間設定手段と、音出力時間設定手段と、音周波数設定手段と、タッチパネルに振動を伝える振動伝達手段と、振動開始時間設定手段と、振動波形設定手段と、振動周波数設定手段とを備え、キーが押された時、音出力時間設定手段により設定された時間と、音周波数設定手段により設定された周波数に基づいて、音出力手段から音を出力し、振動開始時間設定手段により設定された時間、振動周波数設定手段により設定された振動周波数と振動波形設定手段により設定された振動波形に基づいて、振動伝達手段によりタッチパネルを振動させる画像形成装置が記載されている。これにより、操作者にキーが正しく押されたことを確認させようとする（特許文献１：請求項１、段落［０００６］等参照）。
【特許文献１】特開２００６−１５０８６５
【発明の開示】
【発明が解決しようとする課題】
【０００４】
まず、タッチパネルは、押下された部分の表示画面の横方向の座標（便宜上「Ｘ座標」と称する）と縦方向の座標（便宜上「Ｙ座標」と称する）をそれぞれ検出し、押下位置にあたる表示画面内でのドットを特定し、どのキーが押下されたかが判定される。タッチパネルの構成及び座標の検出の方式は、種々存在するが（抵抗膜方式等）、いずれも、場合によりセンサを用いて、使用者がタッチパネルを押下したことにより生ずる電流値や電圧値や、電流や電圧の変化等の電気信号を検出して座標の特定を行う。
【０００５】
又、通常、押下位置の特定では、軽く触れただけで反応する等の誤認識を防ぐため、一定周期で、電気信号のサンプリング等により、例えば、同じ座標が複数回検出される等、表示画面の同じドット部分が押下され続けていると判断された場合、表示画面での押下されているドットが確定される。そして、その押下位置のドットがキーの領域内のドットならば、使用者は、そのキーを押したと判定、認識される。
【０００６】
ここで、１画面あたりの画素の配列数が同じ（解像度が同じ）場合、サイズの大きな表示画面ほど、１ドットあたりの面積（大きさ）は広くなり、サイズの小さな表示画面ほど１ドットあたりの面積は狭くなる。そして、押圧力の変化や、使用者の押下時間が短い場合や、指の腹で押す場合や、使用者の身体的な事情等によって、タッチパネルでの押下位置が微妙にずれる場合がある。
【０００７】
もし、１ドットあたりの面積が大きければ、使用者の押下位置が多少ずれても同じドットが押下されていると判断しやすい。一方で、１ドットあたりの面積が小さければ、使用者の押下位置が微妙にずれれば、同じドットが押下されていると複数回連続して検出され難く、異なるドットが押下されたと判断されやすくなる。従って、一般には、小さな表示画面及びタッチパネルほど反応が鈍くなりやすく、応答性は悪くなる傾向があり、使用者の操作性が損なわれかねないという問題がある。
【０００８】
尚、特許文献１記載の発明は、音や振動で、使用者は、キーが正しく押されたことを確認でき、確かに、応答性は悪くとも、入力が行われたことは確認できる。しかし、小さな表示画面及びタッチパネルほど、応答性は悪くなる傾向があるという問題を根本から解決するものではないという問題がある。むしろ、タッチパネルの応答性が良く、表示画面の切替がスムーズに行われ、操作性が確保され、キーが正しく押されたことを迅速に確認できるならば、基本的に、音や振動による通知は不要である。
【０００９】
本発明は、上記の課題に鑑みてなされたものであり、キーの表示領域内のドットについて、１ドットに割り当てる座標の範囲を広げる補正を行い、表示画面及びタッチパネルの大きさによらず、同じドットが押下されていると認識しやすくすることで、タッチパネルへの入力における応答性を高めることを課題とする。
【課題を解決するための手段】
【００１０】
上記課題を解消するため、請求項１に記載の表示入力装置は、操作・入力のための１又は複数のキーを表示させる表示画面と、前記表示画面に重ね合わされるタッチパネルと、
前記タッチパネルへの押下位置から座標データを出力する座標検出部と、前記座標検出部が検出した座標に基づき、前記表示画面内のドットのうちで押下されたドットを特定し、いずれの前記キーが押下されたかを識別する識別部と、前記識別部により押下されたと認識された前記キーに応じて前記表示画面の表示を切り替える表示制御部と、を備え、
前記識別部は、前記キーの表示領域内に存在するドットについて、１ドットに割り当てる座標の範囲を広げる補正を行い、前記表示画面のうちで押下されたドットを特定することとした。
【００１１】
この構成によれば、識別部は、キーの表示領域において、１ドットに割り当てる座標の範囲を広げる補正を行うので、サンプリング時に、複数回、同じドットが押下されていると検出されやすくなる。従って、タッチパネルへの入力に対する応答性を高めることができる。
【００１２】
又、請求項２に記載の発明は、請求項１記載の発明において、前記識別部は、１ドットに割り当てられる座標の範囲を広げる補正を行う場合、１画面あたりの画素の配列数が同じで取り付けられる可能性のある前記表示画面のうち、最大サイズの前記表示画面における１ドットの大きさと同じ大きさとなるように補正を行うこととした。
【００１３】
この構成によれば、最大サイズの前記表示画面における１ドットの大きさと同じ大きさとなるように補正を行うので、少なくとも、最大サイズの表示画面及びタッチパネルと同等の応答性を確保することができる。従って、表示画面及びこれに対応するタッチパネルの大きさによらずに、同じ応答性、操作性を得ることができる。又、１画面あたりの画素の配列数が同じ表示画面を対象とするから、表示画面の大きさを異ならせても、その他の表示制御部の構成は共通化することができ、使用部品共用化による総合的なコストダウンを図ることができる。
【００１４】
又、請求項３に記載の発明は、請求項１又は２に記載の発明において、前記識別部は、前記キーの表示領域内に存在するドットについて、通常時における複数のドットに割り当てられた座標を１つにまとめ、複数のドットを１ドットとして扱う補正を行い、前記表示画面のうちで押下されたドットを特定することとした。この構成によれば、複数のドットを１ドットとして扱う補正を行うので、補正処理を容易に行うことができる。
【００１５】
又、請求項４に記載の画像形成装置は、請求項１乃至３のいずれか１項に記載の表示入力装置を備えることとした。この構成によれば、表示入力装置の表示画面の大きさによらず、応答性、操作性が良好な画像形成装置を提供することができる。
【発明の効果】
【００１６】
以上説明したとおり、本発明によれば、キーの表示領域内のドットについて、その領域内のドットを大きくし、大きくしたドットを押下したか否かが判断されるから、表示画面のサイズや１ドットの大きさによらず、表示入力装置の応答性、反応性を高めることができる。
【発明を実施するための最良の形態】
【００１７】
以下、本発明の第１の実施形態について図１〜７を参照しつつ説明する。ここでは、本発明に係る表示入力装置が、ディジタル式の複合機１（画像形成装置に相当）に操作パネル２として備えられた場合について説明する。しかし、本発明の表示入力装置は、複合機１以外の電気・電子機器にも適用できる。要するに、本実施の形態に記載されている構成、配置等の各要素は、発明の範囲を限定するものではない。
【００１８】
（複合機１の概略構成）
まず、図１に基づき、本発明の第１の実施形態に係る複合機１の概略構成を説明する。図１は、本発明の第１の実施形態に係る複合機１の概略構造を示す模型的正面断面図である。
【００１９】
図１に示すように、本実施形態にかかる複合機１は、上部に原稿カバー１ａが設けられ、その下部の複合機１本体には、原稿読取部３、シート供給部４、シート搬送路５、画像形成部６、定着装置７等を備える。又、複合機１の正面上部に操作パネル２（表示入力装置に相当）が備えられる（図２参照。図１において破線で図示、）。
【００２０】
まず、前記原稿カバー１ａは、原稿読取部３のコンタクトガラス３１に載置された原稿を上方から押さえる。この原稿カバー１ａは、図１の紙面奥側に支点が設けられ、持ち上げ可能である。そして、前記原稿読取部３は、原稿を読み取り、原稿の画像データを形成する。この原稿読取部３の上面に、コンタクトガラス３１が設けられ、原稿読取部３４は、コンタクトガラス３１上に載置される原稿を読み取る。原稿読取部３内には、露光ランプ、反射板、ミラー、レンズ、イメージセンサ（例えば、ＣＣＤセンサ）等が設けられ（不図示）、露光ランプ、反射板、ミラー等が図１の左右方向で水平に移動し、原稿の反射光をイメージセンサに導いて、光学的に原稿を走査し、画像データを生成する。
【００２１】
前記シート供給部４は、画像形成部６等に向けてシートを供給し、各サイズ（Ａ４、Ａ３、Ｂ４、Ｂ５等のＡ、Ｂ型サイズやレターサイズ等）のコピー用紙、再生紙、ＯＨＰシート、ラベルシート等の各種シートが収納される。例えば、コピー機能選択時、使用者がスタートキー２１ｂ（図２参照）を使用者が押すと、給紙ローラ４１が回転駆動し、印刷に用いられるシートが１枚ずつシート搬送路５に送り出される。
【００２２】
前記シート搬送路５は、シート供給部４から供給されたシートを、画像形成部６、定着装置７を経て排出トレイ５１まで搬送する。シート搬送路５には、シートを案内し、シート搬送路５に沿って設けられるガイド５２、シート搬送のため回転する搬送ローラ対５３及び搬送されてくるシートを画像形成部６の手前で待機させ、トナー像形成のタイミングを合わせてシートを送り出すレジストローラ５４等が設けられる。
【００２３】
前記画像形成部６は、トナー像を形成し、搬送されてきたシートにトナー像の転写を行う。画像形成部６は、図１中に示す矢印方向に回転駆動可能に支持された感光体ドラム６１、感光体ドラム６１の周囲に配設された帯電部６２、レーザ走査ユニット６３、現像部６４、転写ローラ６５、清掃部６６を備える。
【００２４】
前記感光体ドラム６１は、画像形成部６の略中心に設けられ、所定方向に回転駆動される。帯電部６２は、図１において感光体ドラム６１の右斜め上方に設けられ、感光体ドラム６１の表面を所定電位に帯電させる。レーザ走査ユニット６３は、帯電部６２の右方に設けられ、原稿読取部３で取得された画像データやネットワーク等により接続されるユーザ端末１００、相手方ＦＡＸ装置２００（図３参照）から送信された画像データ等に基づき、レーザ光を出力し、感光体ドラム６１表面を走査露光して画像情報に応じた静電潜像を形成する。現像部６４は、感光体ドラム６１の右斜め下方に設けられ、感光体ドラム６１上の静電潜像にトナーを供給して現像する。これにより、トナー像が感光体ドラム６１上に形成される。
【００２５】
そして、感光体ドラム６１の左方に、転写ローラ６５が回転可能に設けられ、転写ローラ６５は、感光体ドラム６１に圧接し、転写ローラ６５と感光体ドラム６１との間ではニップが形成される。タイミングをあわせて搬送されてきたシートがニップに進入すると、トナー像もニップに進入し、転写ローラ６５に所定の電圧が印加されることで、感光体ドラム６１上のトナー像がシートに転写される。尚、清掃部６６は、転写終了後、感光体ドラム６１の表面に残留するトナーを清掃する。
【００２６】
前記定着装置７は、シートに転写されたトナー像を定着させる。本実施形態における定着装置７は、主として発熱体を内蔵する加熱ローラ７１と加圧ローラ７２で構成される。加熱ローラ７１と加圧ローラ７２は圧接してニップを形成する。そして、トナー像の転写されたシートが、加熱ローラ７１と加圧ローラ７２とのニップを通過することで、トナーが溶融・加熱され、トナー像がシートに定着する。そして、画像形成終了後のトナー像は排出トレイ５１に排出される。
【００２７】
次に、図１及び図２に基づき、本発明の第１の実施形態に係る複合機１に設けられる操作パネル２について説明する。図２は、本発明の第１の実施形態に係る操作パネル２の一例を示す図である。
【００２８】
図１に示すように、操作パネル２は、複合機１の正面上方に設けられる。そして、図２に示すように、操作パネル２の右方にテンキー部２１ａ、スタートキー２１ｂ、ストップ／クリアキー２１ｃ、リセットキー２１ｄ、電源キー２１ｅ等の入力、設定用の各種キー２１を備える。又、操作パネル２の左方には、複合機１の有するコピー、プリンタ、スキャナ、ＦＡＸの機能の内、いずれの機能を使用するか選択するための機能選択キー群２１ｆが設けられる。
【００２９】
そして、機能選択キー群２１ｆとテンキー部２１ａとの間に、液晶画面等で構成される表示画面２２が設けられる。例えば、図２（ｂ）に示すように、この表示画面２２は、操作・入力のための１又は複数のキー２３（ソフトキー２３）が表示される（尚、図２（ｂ）では、煩雑となることを防ぐため、「集約キー」のみに符号２３を付す。）。そして、表示画面２２に重ね合わされて、タッチパネル２４が設けられる（詳細は後述）。このタッチパネル２４により、表示画面２２で押下された位置を検出し、押下された位置を特定することで、使用者に押下されたキー２３を特定する。そして、押下されたキー２３に応じて、例えば、表示画面２２の表示は、異なる階層に切り替えられたり、又は、押下されたキー２３の色が変えられたり（例えば、白黒反転）する。このように、多様な表示画面２２に基づき、使用者は、複合機１の有する各種機能の設定を行うことができる。
【００３０】
次に、図３に基づき、本発明の第１の実施形態に係る複合機１のハードウェア構成の一例を説明する。図３は、本発明の第１の実施形態に係る複合機１のハードウェア構成の一例を示すブロック図である。
【００３１】
まず、複合機１の動作の全体について制御するため、複合機１内に、制御基板が設けられ、その制御基板上に、本体制御部８が設けられる。この本体制御部８は、複合機１の各部と接続され、動作制御を行う。
【００３２】
本体制御部８は、複合機１本体の動作を制御する中央処理演算装置としてのＣＰＵ８１と、複合機１の制御プログラム、制御用データ、画像データ、設定データ、各種パラメータデータ等の各種データを記憶するメモリ部８２を有する。メモリ部８２は、不揮発性のＲＯＭ、ＨＤＤ、フラッシュＲＯＭと、揮発性のＲＡＭ等で構成され、複合機１の制御に必要となるプログラム、データを保持する。
【００３３】
そして、本体制御部８は、原稿読取部３、シート供給部４、シート搬送路５、画像形成部６、定着装置７等と信号線等で接続され、印刷時等の各部の動作の制御を行う。又、本体制御部８は、各種コネクタ、ソケット等を備えたＩ／Ｆ部８３（インターフェイス部）と接続され、Ｉ／Ｆ部８３は、ネットワーク等により、ユーザ端末１００と接続される。これにより、複合機１は、ユーザ端末１００から画像データの送信を受けて印刷することや（プリンタ機能）、原稿読取部３で読み取った画像データをユーザ端末１００に送信することができる（スキャナ機能）。又、本体制御部８には、モデム８４が接続され、公衆通信回線を介して、相手方ＦＡＸ装置２００と通信可能であり、データの送受信や受信データの印刷を行うことができる（ＦＡＸ機能）。
【００３４】
又、複合機１は、操作パネル２とも接続され、操作パネル２への使用者による設定入力が本体制御部８に入力されることで使用者の設定入力が反映されるように、本体制御部８は、複合機１の動作の制御を行う。例えば、コピー機能使用時、濃度変更設定を操作パネル２に対して行った場合、本体制御部８は、複合機１の印刷濃度を調整する。例えば、スキャナ機能使用時、読み取り解像度の設定を操作パネル２にて行った場合、指定された解像度で原稿の画像データを生成する。このように、操作パネル２の入力結果が複合機１の動作に反映される。
【００３５】
次に、図４に基づき、本発明の第１の実施形態に係る操作パネル２のハードウェア構成の一例について説明する。図４は、本発明の第１の実施形態に係る操作パネル２のハードウェア構成の一例を示すブロック図である。
【００３６】
図４に示すように、本実施形態の操作パネル２には、表示画面２２と、各種キー２１への入力を検知し、又、表示画面２２に表示される画面を制御する表示制御部９と、表示画面２２の上面に配置された抵抗膜方式のタッチパネル２４と、タッチパネル２４への押下位置を検出し、タッチパネル２４への押下位置から座標データを出力する座標検出部１０等で構成される。
【００３７】
表示制御部９は、ＣＰＵ９１（識別部に相当）、ビデオメモリ９２、ドライバ回路９３等を搭載する。ＣＰＵ９１は、表示制御部９の動作、通信を制御するための中央演算処理装置である。ビデオメモリ９２は、予め定められた多数種の表示画面２２の画像データを記憶し、表示画面２２に表示する画面データを展開するためのメモリである。ドライバ回路９３は、ＣＰＵ９１の指令と、画面データに基づき、表示画面２２での各ドットの発光、非発光を実際に制御して、表示画面２２を駆動させる回路である。例えば、表示画面２２が液晶表示画面２２ならば、液晶ドライバ回路となる。このようにして、表示画面２２の表示は、ＣＰＵ９１等によって制御される。
【００３８】
そして、表示画面２２の上方に設けられるタッチパネル２４は、座標検出部１０と接続される。座標検出部１０は、使用者によって押下されたタッチパネル２４の位置の座標を検出する。例えば、表示画面２２の横方向をＸ方向とし、縦方向をＹ方向とすると、Ｘ、Ｙの２方向について座標を検出する。
【００３９】
又、表示制御部９と座標検出部１０とは接続されており、座標検出部１０が検出した座標に基づき、表示制御部９のＣＰＵ９１は、押下されたドットが表示画面２２に表示しているキー２３の領域に含まれるドットか否かを判定し、いずれのキー２３が押下されたかを認識する。即ち、ＣＰＵ９１は、座標検出部１０が検出した座標に基づき、表示画面２２内のドットのうちで押下されたドットを特定し、いずれのキー２３が押下されたかを識別する。これにより、例えば、表示制御部９は、押下されたキー２３に対応して予め設定されている操作画面に表示を遷移させる。即ち、又、表示制御部９は、ＣＰＵ９１により押下されたと認識されたキー２３に応じて表示画面２２の表示を切り替える。尚、表示制御部９は、スタートキー２１ｂ等の各種キー２１とも接続され、各種キー２１が押されたことも認識し、受け付ける。
【００４０】
このタッチパネル２４等や各種キー２１の押下による使用者の複合機１の設定入力を、表示制御部９は受け付け、ＣＰＵ９１の通信制御のもと、操作パネル２への使用者の入力結果を本体制御部８に送信する。これにより、本体制御部８は、操作パネル２への使用者の設定入力を反映させて複合機１の動作を制御して、例えば、使用者の望む印刷結果等が得られる。
【００４１】
次に、図５に基づき、本発明の第１の実施形態に係るタッチパネル２４の一例を説明する。図５は、本発明の第１の実施形態に係るタッチパネル２４の一例を示す図である。
【００４２】
図５（ａ）に示すように、タッチパネル２４は、ＰＥＴ等の上部フィルム２５と表示画面２２の上面を構成する下部ガラス２２ａの間に、透明導電物質である例えば、ＩＴＯ（インジウム錫酸化物）による上部導電膜２６と下部導電膜２７が設けられ、上部導電膜２６のＸ軸方向に電圧が印加されるように、Ｘ軸方向の両端に、電極（図５（ａ）において、＋Ｘ、−Ｘとして図示）が形成される。又、下部導電膜２７には、Ｙ軸方向に電圧が印加されるように、Ｙ軸方向の両端に、電極（図５（ａ）において、＋Ｙ、−Ｙとして図示）が形成される。そして、各導電膜がスペーサ２８によって離隔される（図５（ｂ）参照）。
【００４３】
そして、図５（ｂ）に示すように、タッチパネル２４の一点が押下、上部導電膜２６と下部導電膜２７が接触すると、座標検出部１０が、接触点のＸ，Ｙ座標が算出される。
【００４４】
具体的には、例えば、Ｘ軸方向の座標を検出する場合、対向する電極＋Ｘと−Ｘに、所定の電圧を印加しておく。この時、タッチパネル２４が押下され、上部導電膜２６と下部導電膜２７が接すると、対向する電極＋Ｙ、−Ｙ間に、電圧が検出される。尚、電極＋Ｘに近いほど、電極＋Ｙと−Ｙ間で検出される電圧は高くなる。座標検出部１０は、この電圧をＡ／Ｄ変換する。例えば、＋Ｘと−Ｘの電極間に５Ｖを印加している場合、Ｙ方向の電極に２．５Ｖが検出された場合、座標検出部１０は、Ｘ方向における中間位置の座標が押下されたと検出する。一方、同様に、Ｙ軸方向の座標を検出する場合、対向する電極＋Ｙと−Ｙに電圧を印加しておき、座標検出部１０は、タッチパネル２４の押下時に＋Ｘ、−Ｘに現れる電圧を検出し、この電圧をＡ／Ｄ変換する。
【００４５】
尚、Ｘ方向及びＹ方向で検出された電圧値をそのまま座標値として用いてもよい。又、検出された電圧値に、座標検出部１０が係数を乗じる等により、演算が行われてもよい。そして、表示制御部９のＣＰＵ９１は、検出された電圧値又は、演算結果を座標検出部１０から受け取り、表示画面２２での押下されたドットを特定する。
【００４６】
そして、検出された電圧から押下されたドットの特定方法は多様で種々考えられるが、例えば、検出された電圧値を用いて押下されたドットを特定する場合、ＣＰＵ９１が、Ｘ方向での全ドット（例えば、８００ドット）に対する１ドットあたりの電圧の刻み幅で検出電圧値を割れば、押下位置が表示画面２２の端部から何ドット目に当たるか認識することができる。又、Ｙ方向でも同様に、例えば、ＣＰＵ９１が、Ｙ方向での全ドット（例えば、４８０ドット）に対する１ドットあたりの電圧の刻み幅で検出電圧値を割れば、押下位置が表示画面２２の端部から何ドット目に当たるか認識することができる。
【００４７】
そして、座標検出部１０は、Ｘ座標とＹ座標を一定の時間間隔でサンプリングし、ＣＰＵ９１は、複数回にわたり同じドットが押下されていると認められた場合、そのドットが押下されていると特定する。尚、同じドットが押下されていると認められるまでの回数は、適宜設定可能であるが、例えば、２〜５回程度に設定することができる。又、サンプリング間隔も適宜設定可能であるが、例えば、サンプリング間隔は、１０数ミリ秒〜数十ミリ秒と設定することができる。
【００４８】
そして、表示制御部９のＣＰＵ９１が、表示画面２２のドット（画素）のうち、押下されていると特定したドットに、何らかのキー２３が配されていれば、表示制御部９（ＣＰＵ９１）は、そのキー２３が押されたと判断し、その入力を受け付けるとともに、場合により、表示画面２２を切り替える。
【００４９】
次に、図６に基づき、本発明の実施形態に係るタッチパネル２４の応答性について説明する。図６は、表示画面２２の大きさに基づく１ドットの大きさの説明図である。尚、図６（ａ）及び（ｂ）は、例として、表示画面２２中のいずれかの部分における横３０ドット、縦１８ドットの領域を抽出して拡大表示したものである。
【００５０】
例えば、表示画面２２が大きくなるほど、操作パネル２のコストが上昇するので、高価格帯の複合機１等の画像形成装置では、大型の操作パネル２が、低価格帯の画像形成装置になるほど小型の操作パネル２が装着される傾向がある。このことは、画像形成装置以外の機器においても同様で、高価格帯のものほど、表示画面２２が大きくなる傾向がある。
【００５１】
もし、表示画面２２の総画素数（例えば、横８００ドット×縦４８０ドット）が同じ場合、表示画面２２のサイズが大きいほど、図６（ｂ）に示すように、１ドットあたりの面積は広くなる。一方、表示画面２２のサイズが小さいほど、図６（ａ）に示すように、１ドットあたりの面積は狭くなる。
【００５２】
ここで、上述したように、座標検出部１０で検出された座標に基づき、タッチパネル２４での押下されたドットが複数回にわたり、同じである場合に、そのドットが押されたと特定される。従って、タッチパネル２４に対して、例えば、十数ミリ秒以上の間、押下操作が安定的に継続されていると押下位置のドットが正確に検出されるが、使用者がなでるように押下した場合、押下位置が微妙にずれた場合、押下時間が短い場合、押圧力が変動した場合など、正確な押下位置のドットを認識できない場合がある。又、正確な押下されたドットが検出されなければ、使用者の意図とは異なる画面に遷移することや、何ら表示が変わらない等の不都合が生じ得る。
【００５３】
そして、一般に、表示画面２２のサイズが大きく、１ドットの面積が広いほど、座標検出部１０とＣＰＵ９１によるサンプリング時に、同じドットが押下されていると判断されやすく、押下位置を特定しやすい。言い換えると、１ドットの面積が狭いほど、押下位置の僅かなずれや、押圧力の変動に敏感に反応し、同じドットが押下されていると判断され難くなる。従って、一般的に、表示画面２２（タッチパネル２４）が大きいほど、操作パネル２の応答性、反応性は良くなる。
【００５４】
次に、図７に基づき、本発明の第１の実施形態に係る表示画面２２で押下されたドットの認識における補正について説明する。図７は、本発明の第１の実施形態に係る表示画面２２で押下されたドットの認識における補正の一例を示す説明図である。
【００５５】
まず、図７は、表示画面２２の一部を示し（横３０ドット×縦１８ドット）、格子状の１マスは、表示画面２２における１ドットを示している。そして、図７において、網掛斜線部は、そのドット部分が何らかのキー表示領域Ｋであることを示している。従って、使用者がこの網掛け領域を押下すれば、そのキー２３が押下されたと認識される。尚、網掛け以外のドットは、キー表示領域Ｋ以外の領域であり、空白表示され、何ら補正の対象とならないドットを示している。
【００５６】
そして、図７（ａ）は、何ら補正を行わない場合を示している。従って、操作パネル２の応答性、反応性は、操作パネル２の表示画面２２での大きさに応じたものとなる。
【００５７】
一方、図７（ｂ）は、本発明に関し、キー表示領域Ｋにおいて、１ドットの大きさを広げるとみなす補正を行った場合を示している。この補正により、キー表示領域Ｋ内のドット総数は、減少するものの、１ドットあたりの大きさは大きくなる。即ち、ＣＰＵ９１は、キー表示領域Ｋ内に存在するドットについて、１ドットに割り当てる座標の範囲を広げる補正を行い、表示画面２２のうちで押下されたドットを特定する。
【００５８】
具体的にこの補正においては、例えば、ＣＰＵ９１は、キー表示領域Ｋ内のドットに割り当てられたタッチパネル２４からの検出電圧の範囲において、１ドットあたりの刻み幅を変更することで、１ドットの大きさを広げることにより、実現することができる。言い換えると、１ドットに含まれる座標の値の範囲が広がり、１ドットに含まれる座標の数が増える。
【００５９】
上述したように、押下されたタッチパネル２４の位置により座標が検出され、その座標に応じて、表示画面２２で押下されたドットが特定される。そして、複数回同じドットが押されたと認識される場合に、押下位置のドットが確定する。従って、このような補正を行うことにより、押下中の押下位置の多少ずれや、押圧力の変動等が合っても、表示画面２２で同じドットが押されていると確定されやすくなる。
【００６０】
そして、本発明の実施形態では、１ドットあたりの座標の範囲を広げる場合、画素の配列数（解像度）が同じで、取り付けられ得る最大サイズの表示画面２２の１ドットのサイズと同じとなるように補正する。即ち、ＣＰＵ９１は、１ドットに割り当てられる座標の範囲を広げる補正を行う場合、１画面あたりの画素の配列数が同じで取り付けられる可能性のある表示画面２２のうち、最大サイズの表示画面２２における１ドットの大きさと同じ大きさとなるように補正を行う。例えば、図７（ｂ）における網掛け領域の１ドットのサイズは、図６（ｂ）で示した表示画面２２の１ドットと同じ大きさとすることができる。これにより、たとえ、表示画面２２が小さくても、少なくとも、取り付けられ得る最大サイズの操作パネル２の表示画面２２と同等の応答性、反応性を得ることができる。
【００６１】
次に、図８に基づき、本発明の第２の実施形態に係る表示画面２２で押下されたドットの認識における補正の一例を説明する。図８は、本発明の第２の実施形態に係る表示画面２２で押下されたドットの認識における補正の一例を示す説明図である。
【００６２】
まず、図８も、図７と同様に、表示画面２２の一部を示し（横３０ドット×縦１８ドット）、格子状の１マスは、表示画面２２における１ドットを示している。そして、網掛斜線部は、そのドット部分が、何らかのキー表示領域Ｋであることを示す。従って、使用者がこの網掛け領域を押下すれば、そのキー２３が押下されたと認識される。
【００６３】
そして、第１の実施形態では、キー表示領域Ｋ内の１ドットの大きさを、画素の配列数（解像度）が同じで、取り付けられ得る最大サイズの表示画面２２の１ドットのサイズと同じとなるように補正した。しかし、第２の実施形態では、キー表示領域Ｋ内の２ドット分を１ドットとして扱う補正を行う点で異なる。尚、その他の点については、第１の実施形態と同様なので、第２の実施形態の説明に準じるものとして、説明、図示を省略する。
【００６４】
図８に示すように、タッチパネル２４への押下により座標検出部１０により検出された座標の２ドット分を１つにまとめる。即ち、２ドット分の領域に割り当てられた座標を１つのドットとして扱う（尚、図８では、Ｙ方向において、２ドット分を１ドットとして扱う補正を行う場合を示している。）。これにより、１ドット分押下位置がずれても、同じドットが押下されていると認識され、表示画面２２において、同じドットの部分が押下されたと認識されやすくなり、補正を行わない場合比べ、応答性、反応性を高めることができる。
【００６５】
具体的にこの補正においては、例えば、ＣＰＵ９１は、通常のドットの大きさで、押下されたドットを特定し、２つのドットの範囲において、単に同じドットが押下された判断するようにすればよい。この場合、補正の手法は、特別なものではなく、複数の（２つの）ドットの範囲のいずれのドットが押下されたと認識されても、同じドットが押下されたとＣＰＵ９１が判断するのみである。従って、補正処理を容易に行うことができる。
【００６６】
又、例えば、ＣＰＵ９１は、キー表示領域Ｋ内のドットに割り当てられたタッチパネル２４からの検出電圧の範囲において、１ドットあたりの刻み幅を変更して、Ｙ方向の２ドット分の刻み幅を、１ドットとして扱うことにより、実現することができる。言い換えると、１ドットに含まれる座標の値の範囲が広がり、１ドットに含まれる座標の数が２ドット分となる。
【００６７】
即ち、ＣＰＵ９１は、キー表示領域Ｋ内に存在するドットについて、通常時における複数のドット（本例では２ドット）に割り当てられた座標を１つにまとめ、複数のドットを１ドットとして扱う補正を行い、表示画面２２のうちで押下されたドットを特定する。
【００６８】
次に、図９に基づき、本発明の第３の実施形態に係る表示画面２２で押下されたドットの認識における補正の一例を説明する。図９は、本発明の第３の実施形態に係る表示画面２２で押下されたドットの認識における補正の一例を示す説明図である。
【００６９】
まず、図９も、図７や図８と同様に、表示画面２２の一部を示し（横３０ドット×縦１８ドット）、格子状の１マスは、表示画面２２における１ドットを示している。そして、網掛斜線部は、そのドット部分が、何らかのキー表示領域Ｋであることを示す。従って、使用者がこの網掛け領域を押下すれば、そのキー２３が押下されたと認識される。
【００７０】
そして、第１の実施形態では、キー表示領域Ｋ内の１ドットの大きさを、画素の配列数（解像度）が同じで、取り付けられ得る最大サイズの表示画面２２の１ドットのサイズと同じとなるように補正した。又、第２の実施形態では、キー表示領域Ｋ内の２ドット分を１ドットとして扱う補正を行った。そして、第３の実施形態では、キー表示領域Ｋ内の４ドット分を１ドットとして扱う補正を行う点で異なる。尚、その他の点については、第１の実施形態と同様なので、第１の実施形態の説明に準じるものとして、説明、図示を省略する。
【００７１】
図９に示すように、タッチパネル２４への押下により座標検出部１０により検出された座標の４ドット分を１つにまとめる。即ち、４ドット分の領域に割り当てられた座標を１つのドットとして扱う。これにより、上下斜め方向に押下位置がずれても、同じドットが押下されていると認識されやすくなり、補正を行わない場合比べ、応答性、反応性を高めることができる。
【００７２】
具体的にこの補正においては、例えば、ＣＰＵ９１は、通常のドットの大きさで、押下されたドットを特定し、４つのドットの範囲において、単に同じドットが押下された判断するようにすればよい。この場合、補正の手法は、特別なものではなく、複数の（４つの）ドットの範囲のいずれのドットが押下されたと認識されても、同じドットが押下されたとＣＰＵ９１が判断するのみである。従って、補正処理を容易に行うことができる。
【００７３】
又、例えば、ＣＰＵ９１は、キー表示領域Ｋ内のドットに割り当てられたタッチパネル２４からの検出電圧の範囲において、１ドットあたりの刻み幅を変更して、Ｘ方向、Ｙ方向のそれぞれ２ドット分の刻み幅を、１ドットとして扱うことにより実現することができる。言い換えると、１ドットに含まれる座標の値の範囲が広がり、１ドットに含まれる座標の数が４ドット分となる。
【００７４】
即ち、ＣＰＵ９１は、キー表示領域Ｋ内に存在するドットについて、通常時における複数のドット（本例では４ドット）に割り当てられた座標を１つにまとめ、複数のドットを１ドットとして扱う補正を行い、表示画面２２のうちで押下されたドットを特定する。
【００７５】
このようにして、上記第１〜第３の実施形態によれば、ＣＰＵ９１（識別部）は、キー表示領域Ｋにおいて、１ドットに割り当てる座標の範囲を広げる補正を行うので、サンプリング時に、複数回、同じドットが押下されていると検出されやすくなる。従って、タッチパネル２４への入力に対する応答性を高めることができる。
【００７６】
又、最大サイズの表示画面２２における１ドットの大きさと同じ大きさとなるように補正を行うので、少なくとも、最大サイズの表示画面２２及びタッチパネル２４と同等の応答性を確保することができる。従って、表示画面２２及びこれに対応するタッチパネル２４の大きさによらずに、同じ応答性、操作性を得ることができる。又、１画面あたりの画素の配列数が同じ表示画面２２を対象とするから、表示画面２２の大きさを異ならせても、その他の表示制御部９の構成は共通化することができ、コストダウンを図ることができる。
【００７７】
又、複数のドットを１ドットとして扱う補正を行うので、補正処理を容易に行うことができる。又、操作パネル２（表示入力装置）の表示画面２２の大きさによらず、応答性、操作性が良好な画像形成装置（例えば、複合機１）を提供することができる。
【００７８】
以下、別実施形態について説明する。
【００７９】
上述の実施形態では、抵抗膜方式のタッチパネル２４について説明したが、静電容量方式、表面弾性波方式、赤外線遮光方式、音響パルス検出方式など、いずれの方式のタッチパネル２４を利用した場合でも、座標を検出するので、本発明を適用することができる。
【００８０】
又、上述の実施形態では、取り付けられ得る最大サイズの表示画面２２の１ドットのサイズと同じとなる補正や、２ドット、４ドット分を１ドットとみなす補正について説明したが、補正を施さない状態に比べ１ドット分の面積が大きくなればよく、大きくする１ドット分のサイズは、上述した実施形態に限られない。
【００８１】
以上、本発明の実施形態につき説明したが、本発明の範囲はこれに限定されるものではなく、発明の主旨を逸脱しない範囲で種々の変更を加えて実施することができる。
【産業上の利用可能性】
【００８２】
本発明は、タッチパネルにより押下位置を検出する表示入力装置や、この表示入力装置を備えた機器に利用可能である。
【図面の簡単な説明】
【００８３】
【図１】第１の実施形態に係る複合機の概略構造を示す模型的正面断面図である。
【図２】第１の実施形態に係る操作パネルの一例を示す図である。
【図３】第１の実施形態の複合機のハードウェア構成の一例を示すブロック図である。
【図４】第１の実施形態に係る操作パネルのハードウェア構成の一例を示すブロック図である。
【図５】第１の実施形態に係るタッチパネルの一例を示す図である。
【図６】表示画面の大きさに基づく１ドットの大きさの説明図である。
【図７】第１の実施形態に係る表示画面で押下されたドットの認識における補正の一例を示す説明図である。
【図８】第２の実施形態に係る表示画面で押下されたドットの認識における補正の一例を示す説明図である。
【図９】本発明の第３の実施形態に係る表示画面で押下されたドットの認識における補正の一例を示す説明図である。
【符号の説明】
【００８４】
１    複合機（画像形成装置）            ２    操作パネル（表示入力装置）
２２  表示画面                          ２３キー
２４  タッチパネル                      ９    表示制御部
９１  ＣＰＵ（識別部）                  １０  座標検出部
Ｋ    キー表示領域
【図１】
2009289021.tif 000003
【図２】
2009289021.tif 000004
【図３】
2009289021.tif 000005
【図４】
2009289021.tif 000006
【図５】
2009289021.tif 000007
【図６】
2009289021.tif 000008
【図７】
2009289021.tif 000009
【図８】
2009289021.tif 000010
【図９】
2009289021.tif 000011